(57)【要約】【課題】  立体感を帯びたヘアライン付のパネル（表示板）を安価に提供する。【解決手段】  例えば車両の計器に用いられ、ヘアラインを有する表示板に関するものであって、表示板１は、透明な基板２と、この基板２の表面側に設けられた第１のヘアライン４と、基板２の裏面側に第１のヘアライン４に対応して設けられた第２のヘアライン５と、この第２のヘアライン５の裏面側に表示部３となる箇所を除いて設けられた金属調の地色層７とを有する。【選択図】図２
2008134164.tif 000002
【特許請求の範囲】
【請求項１】
透明な基板と、この基板の表面側に設けられた第１のヘアラインと、前記基板の裏面側に前記第１のヘアラインに対応して設けられた第２のヘアラインと、この第２のヘアラインの裏面側に設けられた地色層とを有することを特徴とするパネル。
【請求項２】
透明な基板と、この基板の表面側に設けられた第１のヘアラインと、前記基板の裏面側に前記第１のヘアラインに対応して設けられた第２のヘアラインと、この第２のヘアラインの裏面側に表示部となる箇所を除いて設けられた地色層とを有することを特徴とするパネル。
【請求項３】
前記地色層が金属調を有することを特徴とする請求項１または請求項２に記載のパネル。
【請求項４】
前記第１のヘアラインと前記第２のヘアラインの少なくとも一方が印刷からなることを特徴とする請求項１から請求項３の何れかに記載のパネル。
【請求項５】
前記第１のヘアラインと前記第２のヘアラインの少なくとも一方が前記基板にケガキ加工またはプレス加工したものからなることを特徴とする請求項１から請求項３の何れかに記載のパネル。
【発明の詳細な説明】
【技術分野】
【０００１】
本発明は、例えば車両の計器に用いられ、特にヘアラインを有するパネルに関するものである。
【背景技術】
【０００２】
例えば車両の計器に用いられるパネル（車両の作動状態などを示す表示部が施された表示板など）の表面側にヘアラインを形成することによって、計器に金属感，高級感あるいは装飾性を持たせるようにしたものとして、例えば下記特許文献１が知られている。特許文献１には、基板１１の表面側にメタリックインキ層２３を設け、このメタリックインキ層２３上に透明なヘアライン層３０を設けた表示盤１０が記載されている。このヘアライン層３０は、予めヘアラインが形成されているフィルム状支持体３２に紫外線硬化性樹脂をコーティングした後、メタリックインキ層２３上にラミネートし、更に紫外線硬化性樹脂を硬化させたものである。この様に形成することによって、従来（特許文献１の図１０に記載）の様に印刷によってヘアラインを形成する場合に比べて、金属調の細かな傷模様を有する表示盤１０が得られるというものである。
【特許文献１】特開平８−２１７４９号公報
【発明の開示】
【発明が解決しようとする課題】
【０００３】
しかしながら、特許文献１に記載されている表示盤１０は、細かなヘアラインが得られるものの、ヘアライン層３０を形成する工程が複雑でありコストアップとなってしまう。また、印刷によってヘアラインを形成する場合は安価であるが、特許文献１の従来技術に記載されている様にラインの間隔が広く、ラインの高さ（印刷インキの厚み）にも限度があるため、ヘアラインに細かさが無くなると共に平面的な感じを受けてしまう。
【０００４】
本発明はこの様な点に鑑みなされたもので、立体感を帯びたヘアライン付のパネルを安価に提供することを目的とする。
【課題を解決するための手段】
【０００５】
本発明は前記目的を達成するため、透明な基板と、この基板の表面側に設けられた第１のヘアラインと、前記基板の裏面側に前記第１のヘアラインに対応して設けられた第２のヘアラインと、この第２のヘアラインの裏面側に設けられた地色層とを有するものである。
【０００６】
また、透明な基板と、この基板の表面側に設けられた第１のヘアラインと、前記基板の裏面側に前記第１のヘアラインに対応して設けられた第２のヘアラインと、この第２のヘアラインの裏面側に表示部となる箇所を除いて設けられた地色層とを有するものである。
【０００７】
また、前記地色層が金属調を有するものである。
【０００８】
また、前記第１のヘアラインと前記第２のヘアラインの少なくとも一方が印刷からなるものである。
【０００９】
また、前記第１のヘアラインと前記第２のヘアラインの少なくとも一方が前記基板にケガキ加工またはプレス加工したものである。
【発明の効果】
【００１０】
立体感を帯びたヘアライン付のパネルを安価に得ることができる。
【発明を実施するための最良の形態】
【００１１】
図１および図２は本発明の第１実施形態であり、本発明に於けるパネルを例えば車両用の計器に用いられる表示板で説明する。図１は表示板（パネル）の正面図であり、図２は表示板の部分断面図（図１に於けるＡ−Ａ断面）である。
【００１２】
表示板１は、合成樹脂製の無色透明な基板２に車両の速度を現す数字表示部３Ａ，目盛表示部３Ｂ，文字表示部３Ｃからなる表示部３が設けられているものである。詳細に説明すると、基板２の表面側（車両の運転者側）には各表示部３Ａ，３Ｂ，３Ｃとなる箇所を除いて第１のヘアライン４が設けてある。また、基板２の裏面側には各表示部３Ａ，３Ｂ，３Ｃとなる箇所を除いて第２のヘアライン５を設けた後、この第２のヘアライン５に重ねて地部６となる地色層７が設けてある。なお、図１に於いて、第１のヘアライン４は記載を省略してある。また、表示部３を黒色で，表示部３以外の地部６を無色で示す。
【００１３】
第１のヘアライン４および第２のヘアライン５は、無色透明なインクを例えば基板２の中心である貫通穴８の中心から放射状に延びる直線で、或いは基板２の中心を原点とする同心円を印刷によって無数形成したものである。第２のヘアライン５は第１のヘアライン４が設けられている領域に対応した基板２の裏面側に設けてあれば良いのであって、第１のヘアライン４と第２のヘアライン５は、ラインの大きさ，間隔，位置などが必ずしも同一でなければならないということではない。
【００１４】
地色層７は、各表示部３Ａ，３Ｂ，３Ｃとなる箇所を除いて（抜いて）印刷によって設けられる。つまり、地色層７が設けられていない箇所が表示部３となっている。また、地色層７に重ねて例えば黒色の遮光層９が印刷してある。この遮光層９は、表示板１の裏面側に光源を設けた際、光源の点灯によって地色層７が透ける場合、それを防ぐために設けたものであるが、必要に応じて設ければ良い。また、各表示部３Ａ，３Ｂ，３Ｃに対応した基板２の裏面側には例えば白色の透過性表示層１０が印刷によって設けてある。この透過性表示層１０は、表示部３を白色で視認させる、或いは光源の点灯によって表示部３を白色で透過照明させるものであるが、白色に限定するものではない。また、必要性が無ければ設けなくとも良い。
【００１５】
本実施形態に於ける地色層７は金属調を有しており、例えば透明インクの中にアルミニウム粉や真鍮粉などが混入されたものである。なお、本発明での金属調を有する地色層７とは、パール顔料（雲母）が混入されたパール感を有する地色層７も含み、地色層７は印刷の他、塗装，ホットスタンプ等でも良い。
【００１６】
この様に、無色透明な基板２の表面側に第１のヘアライン４を設け、基板２の裏面側に第２のヘアライン５と地色層７を設けたことにより、表面側から表示板１を視認した際、第１のヘアライン４のみならず、透明な基板２を透して第２のヘアライン５も視認されるため、視認されるヘアラインに立体感を与えることができると共に細かなヘアラインを表現できる。
【００１７】
また、第１のヘアライン４および第２のヘアライン５を印刷とすることで、安価であり、且つ印刷であっても細かなヘアラインを表現できる。また、地色層７を表示部３を除いて金属調に設けることによって、表示部３を有する表示板に於いても、微細で立体感を帯びたヘアライン付の金属調表示板１を得ることができる。
【００１８】
なお、前記実施形態に於いては基板２を無色透明としたが、基板２を透して第２のヘアライン５が視認される程度の有色透明であっても良い。また、第１のヘアライン４および第２のヘアライン５も無色透明なインクに限定するものではなく、透明性を有していれば色調は任意である。第１のヘアライン４および第２のヘアライン５を有色とすることによって、表示板の装飾性が一層増す。
【００１９】
また、地色層７を金属調としたが必ずしも金属調とする必要はない。金属調でなくとも、微細で立体感を有するヘアライン付の表示板が得られる。また、第１のヘアライン４，第２のヘアライン５，地色層７はそれぞれ基板２の全面に設ける必要はない。高級感（金属感）や装飾性を持たせたい領域に設ければ良い。また、表示板の表面には反射の抑止、印刷層の保護、或いはヘアラインの艶変更などの目的で保護層を設けても良い。
【００２０】
次に、本発明の第２実施形態について説明する。図３は表示板の部分断面図（図１に於けるＡ−Ａ断面に相当）である。前記第１実施形態に於いては第１および第２のヘアライン４，５を印刷によって形成したが、本実施形態に於いては第１および第２のヘアライン４，５をケガキ加工またはプレス加工によって形成したものである。なお、前記第１実施形態と同一もしくは相当箇所については同一符号を付し、その詳細説明は省略する。
【００２１】
第１のヘアライン４は、合成樹脂製の無色透明な基板２の表面側にケガキ加工によって基板２の中心である貫通穴８（図１参照）の中心から延びる放射状の直線、或いは基板２の中心を原点とする同心円を無数形成したものである。第２のヘアライン５も基板２の裏面側に同様に無数形成してある。
【００２２】
その後、図３に示す様に第２のヘアライン５に重ねて地部６となる金属調の地色層７を印刷によって設ける。地色層７は、前記第１実施形態と同様に表示部３となる箇所を除いて（抜いて）設けられる。また、地色層７に重ねて黒色の遮光層９と、表示部３に対応した基板２の裏面側に白色の透過性表示層１０が印刷によって設けられる。これらの遮光層９や透過性表示層１０は必要に応じて設ければ良く、設ける場合であっても色調は任意である。
【００２３】
また、表示部３に対応した第１のヘアライン４上には、基板２の色調と同じ無色透明な平滑層１１が印刷によって設けてある。この平滑層１１を設けることによって、第１のヘアライン４が埋まり、第１のヘアライン４が当初より形成されていなかったかの如く視認される。従って、表示部３上に第１のヘアライン４が有るものに比べて表示部３が明瞭に視認される。なお、視認性に悪影響を及ぼさなければ平滑層１１は設ける必要はない。
【００２４】
この様に、無色透明な基板２の表面側および裏面側にケガキ加工によって第１のヘアライン４と第２のヘアライン５を設け、第２のヘアライン５に重ねて表示部３となる箇所を除いて地色層７を設けたことにより、前記第１実施形態と同様に、ヘアラインに立体感を与えることができる。更に、印刷によって第１および第２のヘアライン４，５を形成する場合に比べて、より微細なヘアライン模様が得られる。
【００２５】
また、ケガキ加工によって第１および第２のヘアライン４，５を形成することで、前述した従来の技術に比べて安価にヘアラインを形成できる。また、地色層７を金属調とすることにより、微細で立体感を帯びたヘアライン付の金属調表示板１を得ることができる。
【００２６】
なお、第１のヘアライン４および第２のヘアライン５はプレス加工によって形成しても良い。プレス加工によるヘアライン形成は、例えばヘアラインを設けた金型を２型用意し、両金型で基板を挟み込みプレスすれば良い。プレス加工の場合は金型に部分的にヘアラインを設けないことが容易にできるため、表示部３に対応する箇所に第１のヘアライン４および第２のヘアライン５を設けないようにすれば、平滑層１１も不要であり、前記第１実施形態と同様となり、表示部３の視認性は良い。
【００２７】
また、前記第１実施形態と同様に、基板２は有色透明であっても良く、地色層７も必ずしも金属調とする必要はない。また、表示板の表面には透明な保護層が設けてあっても良い。
【００２８】
次に、本発明の第３実施形態について説明する。本発明に於けるパネルを例えば車両用計器に用いられる表示板の周縁前方に配置される装飾部材（パネル）で説明する。図４は装飾部材（パネル）の正面図であり、図５は装飾部材の断面図（図４に於けるＢ−Ｂ断面）である。
【００２９】
装飾部材１２はリング状となっており、合成樹脂製の無色透明な基板２の表面側に第１のヘアライン４が形成してある。この第１のヘアライン４は、無色透明なインクを用いて基板２の中心を原点とする同心円を無数印刷形成したものである。また、基板２の裏面側にも同様に、第２のヘアライン５が印刷してある。そして、第２のヘアライン５に重ねて金属調の地色層７が設けてある。
【００３０】
この様に、無色透明な基板２の表面側および裏面側に印刷によって第１のヘアライン４と第２のヘアライン５を設け、第２のヘアライン５に重ねて地色層７を設けたことにより、前記第１実施形態と同様に、安価な方法で細かなヘアラインを表現でき、ヘアラインに立体感を与えることができる。また、地色層７を金属調とすることにより、微細で立体感を帯びたヘアライン付の金属調の装飾部材１２を得ることができる。
【００３１】
本実施形態に於いても前記第１実施形態と同様に、基板２，第１のヘアライン４，第２のヘアライン５は有色透明であっても良く、地色層７も必ずしも金属調とする必要はない。また、装飾部材１２の表面には透明な保護層が設けてあっても良い。
【００３２】
なお、前記第１実施形態と前記第３実施形態に於いては、第１のヘアライン４と第２のヘアライン５の両方を印刷によって形成したが、少なくとも一方のヘアラインを印刷によって形成し、他方のヘアラインを前記第２実施形態の様にケガキ加工（或いはプレス加工）によって形成しても良い。また、前記第２実施形態に於いては、第１のヘアライン４と第２のヘアライン５の両方をケガキ加工（或いはプレス加工）によって形成したが、少なくとも一方のヘアラインを前記第１実施形態の様に印刷によって形成しても良い。この様に構成しても、前記各実施形態と同様な効果が得られる。
【図面の簡単な説明】
【００３３】
【図１】本発明の第１実施形態を示す表示板の正面図。
【図２】同表示板の部分断面図（図１に於けるＡ−Ａ断面）。
【図３】本発明の第２実施形態を示す表示板の部分断面図。
【図４】本発明の第３実施形態を示す装飾部材の正面図。
【図５】同装飾部材の断面図（図４に於けるＢ−Ｂ断面）。
【符号の説明】
【００３４】
１  表示板（パネル）
２  基板
３  表示部
４  第１のヘアライン
５  第２のヘアライン
７  地色層
１２  装飾部材（パネル）
【図１】
2008134164.tif 000003
【図２】
2008134164.tif 000004
【図３】
2008134164.tif 000005
【図４】
2008134164.tif 000006
【図５】
2008134164.tif 000007